(57)【要約】【課題】原稿を搬送する原稿搬送部を駆動する駆動部の発熱によって通信エラーが発生することを回避することができるファクシミリ装置を提供する。【解決手段】ファクシミリ装置は、ＡＤＦモーターによって駆動されて原稿を搬送するＡＤＦと、原稿を読み取る読み取り部と、読み取り部で読み取られる原稿のデータを即時に送信する通信部と、ＡＤＦモーターの温度Ｔを算出する演算部と、温度Ｔに基づいて、ＡＤＦモーター、読み取り部、及び通信部の動作をそれぞれ制御する制御部とを備える。そして、制御部は、原稿のファックス中にＡＤＦモーターの温度Ｔが第１閾値Ｋ１以上となった場合に、原稿のファックスを一時的に停止させた後、当該原稿のファックスを再開させる。【選択図】図６
2016134789.tif 000002
【特許請求の範囲】
【請求項１】
駆動部により駆動され、原稿を搬送経路に沿って搬送する原稿搬送部と、
前記搬送経路の途中の読み取り位置にて当該読み取り位置を通過する前記原稿を読み取り可能な読み取り部と、
前記読み取り部で読み取られる前記原稿のデータを即時に送信可能な通信部と、
前記駆動部の温度を取得する温度取得部と、
前記温度取得部で取得された前記駆動部の温度に基づいて、前記駆動部、前記読み取り部、及び前記通信部の動作をそれぞれ制御する制御部と、
を備え、
前記制御部は、前記読み取り部に前記原稿を読み取らせつつ当該読み取られた前記原稿のデータを前記通信部に即時に送信させているときに前記温度取得部により取得される前記駆動部の温度が第１閾値以上となった場合に、前記読み取り部による前記原稿の読み取り動作及び前記通信部による前記原稿のデータの送信動作を一時的に停止させた後、前記読み取り部による前記原稿の読み取り動作及び前記通信部による前記データの送信動作を再開させることを特徴とするファクシミリ装置。
【請求項２】
前記制御部は、前記温度取得部により取得される前記駆動部の温度が前記第１閾値よりも小さい第２閾値未満である場合に、前記読み取り部による前記原稿の読み取り動作及び前記通信部による前記原稿のデータの送信動作が終了してから前記読み取り部による前記原稿の次の原稿の読み取り動作及び前記通信部による前記次の原稿のデータの送信動作が開始されるまでの時間が、前記駆動部の温度が前記第１閾値以上となった場合に比べて短くなるように、前記駆動部、前記読み取り部、及び前記通信部の動作をそれぞれ制御することを特徴とする請求項１に記載のファクシミリ装置。
【請求項３】
前記制御部は、前記温度取得部により取得される前記駆動部の温度が前記第１閾値未満であって且つ前記第２閾値以上である場合に、前記読み取り部による前記原稿の読み取り動作及び前記通信部による前記原稿のデータの送信動作が終了してから前記読み取り部による前記原稿の次の原稿の読み取り動作及び前記通信部による前記次の原稿のデータの送信動作が開始されるまでの時間が、前記駆動部の温度が前記第２閾値未満である場合に比べて長くなるように、前記駆動部、前記読み取り部、及び前記通信部の動作をそれぞれ制御することを特徴とする請求項２に記載のファクシミリ装置。
【請求項４】
前記制御部により制御されるキャリッジ駆動部により駆動され、前記読み取り部を支持しながら移動可能なキャリッジと、
前記原稿を載置する原稿載置部と、
を備え、
前記制御部は、前記読み取り部に前記原稿を読み取らせつつ当該読み取られた前記原稿のデータを前記通信部に送信させる前に前記温度取得部により取得される前記駆動部の温度が前記第１閾値以上である場合に、前記キャリッジを移動させながら前記原稿載置部に載置された状態の前記原稿を前記読み取り部に読み取らせる旨を報知する報知部を有していることを特徴とする請求項１〜請求項３のうちいずれか一項に記載のファクシミリ装置。
【発明の詳細な説明】
【技術分野】
【０００１】
本発明は、原稿を読み取ってその読み取った原稿のデータを送信するファクシミリ装置に関する。
【背景技術】
【０００２】
一般に、原稿を読み取って画像データを形成する画像読み取り装置が広く知られている（例えば、特許文献１参照）。このような画像読み取り装置の中には、ＡＤＦ（auto document feeder；自動給紙装置）で原稿を搬送しながら読み取り部で原稿の読み取りを行うものがある。
【０００３】
原稿を読み取る方法としては、ＡＤＦを駆動して原稿を搬送しながら読み取る方法と、読み取り部が搭載されたキャリッジを移動させることで原稿台に載置された原稿を読み取る方法とがある。そして、上述の画像読み取り装置では、ＡＤＦを駆動して原稿を連続して搬送すると、ＡＤＦを駆動するモーターの発熱量が大きくなるため、モーターの発熱量に応じてモーターの動作を休止させる休止時間を設けることで、モーターの発熱量を制限している。
【先行技術文献】
【特許文献】
【０００４】
【特許文献１】特開２０１２−９０００７号公報
【発明の概要】
【発明が解決しようとする課題】
【０００５】
ところで、上述の画像読み取り装置のＡＤＦを、原稿を読み取ってその読み取った原稿のデータを送信するファクシミリ装置に適用した場合には、原稿のデータの送信中に、モーターの発熱量を制限するべくモーターの動作が休止されることがある。こうした場合には、ファクシミリ装置に通信エラーが発生し、原稿の読み取りと読み取った原稿のデータの送信とを最初からやり直さなければならなくなってしまうという問題がある。
【０００６】
本発明は、このような従来技術に存在する問題点に着目してなされたものである。その目的とするところは、原稿を搬送する原稿搬送部を駆動する駆動部の発熱によって通信エラーが発生することを回避することができるファクシミリ装置を提供することにある。
【課題を解決するための手段】
【０００７】
以下、上記課題を解決するための手段及びその作用効果について記載する。
上記課題を解決するファクシミリ装置は、駆動部により駆動され、原稿を搬送経路に沿って搬送する原稿搬送部と、前記搬送経路の途中の読み取り位置にて当該読み取り位置を通過する前記原稿を読み取り可能な読み取り部と、前記読み取り部で読み取られる前記原稿のデータを即時に送信可能な通信部と、前記駆動部の温度を取得する温度取得部と、
前記温度取得部で取得された前記駆動部の温度に基づいて、前記駆動部、前記読み取り部、及び前記通信部の動作をそれぞれ制御する制御部と、を備え、前記制御部は、前記読み取り部に前記原稿を読み取らせつつ当該読み取られた前記原稿のデータを前記通信部に即時に送信させているときに前記温度取得部により取得される前記駆動部の温度が第１閾値以上となった場合に、前記読み取り部による前記原稿の読み取り動作及び前記通信部による前記原稿のデータの送信動作を一時的に停止させた後、前記読み取り部による前記原稿の読み取り動作及び前記通信部による前記データの送信動作を再開させる。
【０００８】
この構成によれば、原稿を搬送する原稿搬送部を駆動する駆動部の発熱によって通信エラーが発生することを回避することができる。
上記ファクシミリ装置において、前記制御部は、前記温度取得部により取得される前記駆動部の温度が前記第１閾値よりも小さい第２閾値未満である場合に、前記読み取り部による前記原稿の読み取り動作及び前記通信部による前記原稿のデータの送信動作が終了してから前記読み取り部による前記原稿の次の原稿の読み取り動作及び前記通信部による前記次の原稿のデータの送信動作が開始されるまでの時間が、前記駆動部の温度が前記第１閾値以上となった場合に比べて短くなるように、前記駆動部、前記読み取り部、及び前記通信部の動作をそれぞれ制御することが好ましい。
【０００９】
この構成によれば、原稿の処理速度を向上することができる。
上記ファクシミリ装置において、前記制御部は、前記温度取得部により取得される前記駆動部の温度が前記第１閾値未満であって且つ前記第２閾値以上である場合に、前記読み取り部による前記原稿の読み取り動作及び前記通信部による前記原稿のデータの送信動作が終了してから前記読み取り部による前記原稿の次の原稿の読み取り動作及び前記通信部による前記次の原稿のデータの送信動作が開始されるまでの時間が、前記駆動部の温度が前記第２閾値未満である場合に比べて長くなるように、前記駆動部、前記読み取り部、及び前記通信部の動作をそれぞれ制御することが好ましい。
【００１０】
この構成によれば、できるだけ原稿搬送部を使用しつつ、原稿のファックスを行う速度を確保することができる。
上記ファクシミリ装置において、前記制御部により制御されるキャリッジ駆動部により駆動され、前記読み取り部を支持しながら移動可能なキャリッジと、前記原稿を載置する原稿載置部と、を備え、前記制御部は、前記読み取り部に前記原稿を読み取らせつつ当該読み取られた前記原稿のデータを前記通信部に送信させる前に前記温度取得部により取得される前記駆動部の温度が前記第１閾値以上である場合に、前記キャリッジを移動させながら前記原稿載置部に載置された状態の前記原稿を前記読み取り部に読み取らせる旨を報知する報知部を有していることが好ましい。
【００１１】
この構成によれば、原稿搬送部を使用しなくても、原稿をファックスすることができるので、ユーザーの作業が中断されることを回避することができる。
【図面の簡単な説明】
【００１２】
【図１】一実施形態のファクシミリ装置の斜視図。
【図２】同ファクシミリ装置において開閉カバーを開けたときの状態を示す斜視図。
【図３】同ファクシミリ装置の断面模式図。
【図４】同ファクシミリ装置のブロック図。
【図５】（ａ）は通常モードにおけるＡＤＦモーターの状態変化を示す説明図、（ｂ）はウエイトモードにおけるＡＤＦモーターの状態変化を示す説明図。
【図６】ＦＡＸダイレクト通信処理ルーチンを示すフローチャート。
【図７】（ａ）〜（ｃ）は、ＡＤＦモーターの温度と時間との関係を示すグラフ。
【発明を実施するための形態】
【００１３】
以下、ファクシミリ装置の一実施形態を図面に従って説明する。
図１及び図２に示すように、ファクシミリ装置１１は、本体ケース１２と、本体ケース１２上に開閉可能に設けられた開閉カバー１３とを備えている。本体ケース１２の側面には、ユーザーがファクシミリ装置１１の各種の操作を行うための操作部１４と、液晶モニターなどによって構成される表示部１５とが設けられている。操作部１４は、各種の操作ボタンや送信ボタン１４ａなどを有している。本体ケース１２の上面には、無色透明のガラス板によって構成された原稿載置部１６と、開閉カバー１３の開閉状態を検出するカバーセンサー１７とが設けられている。
【００１４】
図２及び図３に示すように、本体ケース１２内には、走査方向（図３では左右方向）に往復移動可能に構成されたキャリッジ１８と、キャリッジ１８を駆動させるキャリッジ駆動部の一例としてのキャリッジモーター１９と、キャリッジ１８に支持された読み取り部２０とが収容されている。そして、原稿載置部１６に原稿Ｇを載置した状態で、キャリッジモーター１９を駆動してキャリッジ１８を走査方向に移動させることで、原稿載置部１６上に載置された原稿Ｇが読み取り部２０によって読み取られる。すなわち、キャリッジ１８を走査方向に移動させることで、原稿載置部１６に載置されて動かない状態の原稿Ｇが読み取り部２０によって読み取られる。
【００１５】
図１及び図３に示すように、開閉カバー１３上には、原稿Ｇを自動的に搬送する原稿搬送部の一例としてのＡＤＦ（auto document feeder）３０が設けられている。ＡＤＦ３０は、複数の原稿Ｇを積層状態でセット可能な原稿トレイ３１と、原稿トレイ３１にセットされた原稿Ｇが搬送される搬送経路３２と、搬送経路３２に沿って搬送された原稿Ｇが排出される排出トレイ３３とを備えている。搬送経路３２は略Ｕ字状に湾曲しており、原稿トレイ３１は、排出トレイ３３の上側に配置されている。
【００１６】
搬送経路３２には、原稿トレイ３１にセットされた原稿Ｇを下流側へ１枚ずつ給送する給送ローラー３４と、給送ローラー３４によって給送された原稿Ｇを排出トレイ３３へ向かって搬送する複数（本実施形態では４つ）の搬送ローラー対３５とが設けられている。４つの搬送ローラー対３５は、搬送経路３２に沿って適宜間隔を置いて配置されている。また、ＡＤＦ３０は、その駆動部の一例としてのＡＤＦモーター３６を備えている。ＡＤＦモーター３６は、給送ローラー３４及び４つ搬送ローラー対３５を回転駆動する。
【００１７】
搬送経路３２におけるホーム位置（図３に示すキャリッジ１８の位置）にあるキャリッジ１８に支持された読み取り部２０と対応する位置は、読み取り位置３７とされている。そして、原稿トレイ３１から搬送経路３２に沿って排出トレイ３３へ搬送される原稿Ｇは、搬送経路３２の途中の読み取り位置３７を通過する過程で、ホーム位置にて停止しているキャリッジ１８に支持された読み取り部２０によって読み取られる。この場合、原稿載置部１６におけるホーム位置にあるキャリッジ１８と対応する部分は、搬送経路３２の一部を形成している。なお、原稿トレイ３１には、原稿トレイ３１上の原稿Ｇを検出する原稿センサー５０が設けられている。
【００１８】
次に、ファクシミリ装置１１の電気的構成について説明する。
図３及び図４に示すように、ファクシミリ装置１１は、ファクシミリ装置１１全体を統括的に制御する制御部４１を備えている。制御部４１は、マイクロコンピューターによって構成され、ＣＰＵ、ＲＯＭ、及びＲＡＭを備えている。ＲＯＭには、図６のフローチャートで示すＦＡＸダイレクト通信用のプログラムを含む各種制御プログラム、各種設定データ、各種メッセージ、後述する第１閾値Ｋ１及び第２閾値Ｋ２などが記憶されている。
【００１９】
ＲＡＭには、ＣＰＵによる演算結果及び処理結果である各種データなどが一時記憶される。そして、制御部４１は、ＣＰＵがＲＯＭに記憶されたＦＡＸダイレクト通信用のプログラムを実行することで、主制御部４２、モーター制御部４３、報知部４４、及び温度取得部の一例としての演算部４５を構築する。
【００２０】
図４に示すように、制御部４１は、モータードライバー４６及びモータードライバー４７を介してＡＤＦモーター３６及びキャリッジモーター１９とそれぞれ電気的に接続されている。さらに制御部４１は、表示部１５、読み取り部２０、電話回線網に接続された通信部４８、操作部１４、カバーセンサー１７、エンコーダー４９、及び原稿センサー５０とそれぞれ電気的に接続されている。
【００２１】
主制御部４２は、読み取り部２０によって読み取られる原稿Ｇのデータを、電話回線網を介して接続された相手先のファクシミリ装置に対して、通信部４８に送信させる。すなわち、通信部４８は、主制御部４２からの命令に基づき、読み取り部２０によって読み取られる原稿Ｇのデータを、電話回線網を介して接続された相手先のファクシミリ装置に対して即時に送信可能に構成されている。
【００２２】
モーター制御部４３は、モータードライバー４６及びモータードライバー４７を介してＡＤＦモーター３６及びキャリッジモーター１９の駆動をそれぞれ制御する。報知部４４は、ユーザーによる操作部１４の操作などに基づいて、表示部１５に各種メッセージを表示する。演算部４５は、ＡＤＦモーター３６に付与される駆動電流値、ＡＤＦモーター３６の駆動時間（発熱時間）、及び停止時間（放熱時間）などに基づいて、ＡＤＦモーター３６の温度Ｔを算出する。すなわち、演算部４５はＡＤＦモーター３６の温度Ｔを取得する。
【００２３】
エンコーダー４９は、キャリッジ１８の走査方向への移動に伴って、その移動量に比例する数のパルスを有するパルス信号を出力する。そして、制御部４１は、エンコーダー４９から受信したパルス信号のパルスを計数し、その計数値に基づいてキャリッジ１８のホーム位置を原点とする走査方向の移動位置を把握する。また、制御部４１は、カバーセンサー１７から送信される信号に基づいて、開閉カバー１３の開閉状態を把握する。
【００２４】
また、ファクシミリ装置１１は、読み取り部２０によって原稿Ｇを読み取りながら当該読み取られた原稿Ｇのデータを送信する送信モードを２つ有している。これら２つの送信モードのうちの一方は図５（ａ）に示す通常モードであり、他方は図５（ｂ）に示すウエイトモードである。ファクシミリ装置１１の初期設定では、送信モードが通常モードになっている。なお、図５（ａ）及び図５（ｂ）において、ＯＮの位置はＡＤＦモーター３６の駆動状態を示し、ＯＦＦの位置はＡＤＦモーター３６の停止状態を示している。
【００２５】
図５（ａ）に示すように、通常モードでは、１枚目の原稿Ｇの頭出しをｔ１時間で行い、１枚目の原稿Ｇをｔ２時間待機させ、１枚目の原稿Ｇの読み取り動作及びこの読み取った１枚目の原稿Ｇのデータの送信動作をｔ３時間で行い、１枚目の原稿Ｇをｔ４時間待機させ、その後、２枚目の原稿Ｇの頭出しが行われる。
【００２６】
一方、図５（ｂ）に示すように、ウエイトモードでは、１枚目の原稿Ｇの頭出しをｔ１時間で行い、１枚目の原稿Ｇをｔ２時間待機させ、１枚目の原稿Ｇの読み取り動作及びこの読み取った１枚目の原稿Ｇのデータの送信動作をｔ３時間で行い、１枚目の原稿Ｇをｔ５時間待機させ、その後、２枚目の原稿Ｇの頭出しが行われる。
【００２７】
そして、本実施形態では、ｔ１時間が１秒に設定され、ｔ２時間が１秒に設定され、ｔ３時間が１７秒に設定され、ｔ４時間が１秒に設定され、ｔ５時間が２１秒に設定されている。したがって、１枚の原稿ＧのＦＡＸ送信に要する時間は、通常モードではｔ１+ｔ２+ｔ３+ｔ４＝２０秒となり、ウエイトモードではｔ１+ｔ２+ｔ３+ｔ５＝４０秒となる。この場合、通常モードとウエイトモードとは、１枚目の原稿Ｇの頭出しが行われてから１枚目の原稿Ｇの読み取り動作及びこの読み取った１枚目の原稿Ｇのデータの送信動作が終了するまでの時間が同じになっている。
【００２８】
しかしながら、通常モードとウエイトモードとは、１枚目の原稿Ｇの読み取り動作及びこの読み取った１枚目の原稿Ｇのデータの送信動作が終了してから次の２枚目の原稿Ｇの頭出しが開始されるまでの時間が異なっている。つまり、ウエイトモードでは、１枚目の原稿Ｇの読み取り動作及びこの読み取った１枚目の原稿Ｇのデータの送信動作が終了してから次の２枚目の原稿Ｇの読み取り動作及びこの読み取った２枚目の原稿Ｇのデータの送信動作が開始されるまでの時間が、通常モードに比べて格段に長くなっている。
【００２９】
さらに換言すれば、ウエイトモードでは１枚の原稿ＧのＦＡＸ通信に要する時間である４０秒のうちのＡＤＦモーター３６の停止時間（放熱時間）がｔ２+ｔ５＝２２秒であるのに対し、通常モードでは１枚の原稿ＧのＦＡＸ送信に要する時間である２０秒のうちのＡＤＦモーター３６の停止時間（放熱時間）がｔ２+ｔ４＝２秒である。
【００３０】
したがって、ウエイトモードでは、ＡＤＦモーター３６の駆動時間（発熱時間）が通常モードと同じであるのに対し、ＡＤＦモーター３６の停止時間（放熱時間）が通常モードの１０倍以上である。よって、ウエイトモードでは、通常モードに比べてＡＤＦモーター３６の温度上昇が格段に抑制される。
【００３１】
次に、制御部４１が実行するＦＡＸダイレクト通信処理ルーチンについて図６に示すフローチャートに基づいて説明する。ＦＡＸダイレクト通信処理ルーチンは、ユーザーが操作部１４を操作してＦＡＸダイレクト通信モードを選択した際に制御部４１により実行される。なお、ＦＡＸダイレクト通信モードは、読み取り部２０で原稿Ｇを読み取りながら、その読み取った原稿Ｇのデータを通信部４８が電話回線網を介して接続された相手先のファクシミリ装置に対して送信するモードである。すなわち、ＦＡＸダイレクト通信モードは、原稿Ｇを読み取り動作と、この読み取った原稿Ｇのデータの送信動作とを同時に行うモードである。
【００３２】
さて、ＦＡＸダイレクト通信処理ルーチンが実行されると、まず、制御部４１は、ＡＤＦモーター３６の温度Ｔを算出する（ステップＳ１）。引き続き、制御部４１は、ステップＳ１で算出したＡＤＦモーター３６の温度ＴがＲＯＭに記憶された第１閾値Ｋ１以上であるか否かを判定する（ステップＳ２）。この第１閾値Ｋ１は、ＡＤＦモーター３６を使用できる限界の温度に設定されている。
【００３３】
そして、ステップＳ２の判定結果が否定判定である場合、制御部４１は、ステップＳ１で算出したＡＤＦモーター３６の温度ＴがＲＯＭに記憶された第２閾値Ｋ２以上であるか否かを判定する（ステップＳ３）。この第２閾値Ｋ２は、ＡＤＦモーター３６の温度上昇を抑制する必要がある温度であって第１閾値Ｋ１よりも低い温度に設定されている。そして、ステップＳ３の判定結果が肯定判定である場合、制御部４１は、送信モードを通常モードからウエイトモードに変更する（ステップＳ４）。
【００３４】
引き続き、制御部４１は、送信ボタン１４ａが押されると、原稿ＧのＦＡＸダイレクト通信を行う（ステップＳ５）。一方、ステップＳ３の判定結果が否定判定である場合、制御部４１は、その処理をステップＳ５に移行する。すなわち、ステップＳ３の判定結果が否定判定である場合、制御部４１は、送信ボタン１４ａが押されると、ステップＳ４の処理を行うことなく、送信モードを通常モードに維持した状態でステップＳ５の処理を行う。
【００３５】
引き続き、制御部４１は、原稿トレイ３１上に次の原稿Ｇがあるか否かを判定する（ステップＳ６）。ステップＳ６の判定結果が肯定判定である場合、制御部４１は、その処理をステップＳ１に移行する。一方、ステップＳ６の判定結果が否定判定である場合、制御部４１は、ＦＡＸダイレクト通信処理ルーチンを終了する。
【００３６】
また、ステップＳ２の判定結果が肯定判定である場合、制御部４１は、原稿ＧのＦＡＸダイレクト通信が開始されたか否かを判定する（ステップＳ７）。すなわち、ステップＳ２の判定結果が肯定判定である場合、制御部４１は、送信ボタン１４ａが押されたか否かを判定する。ステップＳ７の判定結果が否定判定である場合、制御部４１は、開閉カバー１３を開けて原稿Ｇを原稿載置部１６に手動でセットする旨のメッセージを表示部１５に表示する（ステップＳ８）。
【００３７】
引き続き、制御部４１は、原稿載置部１６に原稿Ｇがセット（載置）されたか否かを判定する（ステップＳ９）。すなわち、制御部４１は、ステップＳ８の処理後に、開閉カバー１３が一度開けられてから閉じられたか否かを判定する。制御部４１は、ステップＳ９の判定結果が否定判定である場合、ステップＳ９の判定結果が肯定判定になるまでステップＳ９の処理を繰り返し行う。
【００３８】
そして、制御部４１は、ステップＳ９の判定結果が肯定判定になって、送信ボタン１４ａが押されると、ＡＤＦ３０を使用することなく原稿ＧのＦＡＸダイレクト通信を行う（ステップＳ１０）。引き続き、制御部４１は、原稿トレイ３１上に次の原稿Ｇがあるか否かを判定する（ステップＳ１１）。ステップＳ１１の判定結果が肯定判定である場合、制御部４１は、その処理をステップＳ１に移行する。一方、ステップＳ１１の判定結果が否定判定である場合、制御部４１は、ＦＡＸダイレクト通信処理ルーチンを終了する。
【００３９】
また、ステップＳ７の判定結果が肯定判定である場合、制御部４１は、原稿ＧのＦＡＸダイレクト通信を切断（停止）して、表示部１５に「調整中」の文字を表示する（ステップＳ１２）。引き続き、制御部４１は、Ｘ秒経過したか否かを判定する（ステップＳ１３）。このＸ秒のＸの値は、ファクシミリ装置１１の機種毎に予め設定されている。制御部４１は、ステップＳ１３の判定結果が否定判定である場合、ステップＳ１３の判定結果が肯定判定になるまでステップＳ１３の処理を繰り返し行う。
【００４０】
そして、制御部４１は、ステップＳ１３の判定結果が肯定判定になると、ＡＤＦモーター３６の温度Ｔを算出する（ステップＳ１４）。引き続き、制御部４１は、ステップＳ１４で算出したＡＤＦモーター３６の温度Ｔが第１閾値Ｋ１以上であるか否かを判定する（ステップＳ１５）。ステップＳ１５の判定結果が肯定判定である場合、制御部４１は、その処理をステップＳ１３に移行する。
【００４１】
一方、ステップＳ１５の判定結果が否定判定である場合、制御部４１は、表示部１５に表示されている「調整中」の文字を消して、リダイヤルする（ステップＳ１６）。引き続き、制御部４１は、ステップＳ１４で算出したＡＤＦモーター３６の温度Ｔが第２閾値Ｋ２以上であるか否かを判定する（ステップＳ１７）。ステップＳ１７の判定結果が肯定判定である場合、制御部４１は、送信モードを通常モードからウエイトモードに変更する（ステップＳ１８）。
【００４２】
そして、制御部４１は、送信ボタン１４ａが押されると、原稿ＧのＦＡＸダイレクト通信を行う（ステップＳ１９）。一方、ステップＳ１７の判定結果が否定判定である場合、制御部４１は、その処理をステップＳ１９に移行する。すなわち、ステップＳ１７の判定結果が否定判定である場合、制御部４１は、送信ボタン１４ａが押されると、ステップＳ１８の処理を行うことなく、送信モードを通常モードに維持した状態でステップＳ１９の処理を行う。
【００４３】
引き続き、制御部４１は、原稿トレイ３１上に次の原稿Ｇがあるか否かを判定する（ステップＳ２０）。ステップＳ２０の判定結果が肯定判定である場合、制御部４１は、その処理をステップＳ１に移行する。一方、ステップＳ２０の判定結果が否定判定である場合、制御部４１は、ＦＡＸダイレクト通信処理ルーチンを終了する。
【００４４】
次に、ファクシミリ装置１１の作用を説明する。
さて、ＦＡＸダイレクト通信で複数枚の原稿Ｇを相手先にファックスする場合には、ＡＤＦ３０の原稿トレイ３１上に各原稿Ｇを積層状態でセットした後、操作部１４を操作してＦＡＸダイレクト通信モードを選択する。続いて、操作部１４を操作して相手先にダイヤルし、相手先に回線が繋がったら送信ボタン１４ａを押す。すると、原稿ＧがＡＤＦ３０により順次搬送されて読み取り部２０により読み取られながらその読み取られた原稿Ｇのデータが通信部４８により相手先に送信される。
【００４５】
このとき、図７（ａ）に示すように、原稿Ｇのファックスの開始時刻Ｊ１（送信ボタン１４ａが押された時刻）においてＡＤＦモーター３６の温度Ｔが第２閾値Ｋ２未満であれば、原稿Ｇは通常モードで読み取られながらその読み取られたデータが相手先に送信される。そして、原稿Ｇの搬送が繰り返し行われてＡＤＦモーター３６が発熱し、時刻Ｊ２でＡＤＦモーター３６の温度Ｔが第２閾値Ｋ２に達すると、原稿Ｇはウエイトモードで読み取られながらその読み取られたデータが相手先に送信されるようになる。これにより、ＡＤＦモーター３６の温度上昇が抑制される。
【００４６】
さらに原稿Ｇの搬送が繰り返し行われてＡＤＦモーター３６が発熱し、時刻Ｊ３でＡＤＦモーター３６の温度Ｔが第１閾値Ｋ１に達すると、原稿ＧのＦＡＸダイレクト通信が切断（停止）されて、表示部１５に「調整中」の文字が表示される。その後、所定時間（Ｘ秒）が経過して時刻Ｊ４でＡＤＦモーター３６の温度Ｔが第１閾値Ｋ１未満になると、表示部１５に表示されている「調整中」の文字が消えて、リダイヤルされる。
【００４７】
そして、相手先に回線が繋がってＡＤＦモーター３６の温度Ｔが第２閾値Ｋ２未満になっていれば、送信ボタン１４ａが押されると、原稿Ｇは通常モードで読み取られながらその読み取られたデータが相手先に送信される。このとき、相手先に回線が繋がってＡＤＦモーター３６の温度Ｔが第２閾値Ｋ２以上第１閾値Ｋ１未満の範囲内であれば、送信ボタン１４ａが押されると、原稿Ｇはウエイトモードで読み取られながらその読み取られたデータが相手先に送信される。
【００４８】
また、図７（ｂ）に示すように、ＦＡＸダイレクト通信で複数枚の原稿Ｇを相手先にファックスする場合に、原稿Ｇのファックスの開始時刻Ｊ１においてＡＤＦモーター３６の温度Ｔが第２閾値Ｋ２以上第１閾値Ｋ１未満の範囲内であれば、原稿Ｇはウエイトモードで読み取られながらその読み取られたデータが相手先に送信される。その後は、上述の図７（ａ）の場合と同様になる。
【００４９】
また、図７（ｃ）に示すように、ＦＡＸダイレクト通信で複数枚の原稿Ｇを相手先にファックスする場合に、原稿Ｇのファックスの開始時刻Ｊ１よりも前にＡＤＦモーター３６の温度Ｔが第１閾値Ｋ１以上になっていれば、開閉カバー１３を開けて原稿Ｇを原稿載置部１６に手動でセットする旨のメッセージが表示部１５に表示される。
【００５０】
そして、ユーザーにより、開閉カバー１３が開けられてから原稿載置部１６に原稿Ｇがセット（載置）された後、開閉カバー１３が閉じられて送信ボタン１４ａが押されると、ＡＤＦ３０を使用することなくＦＡＸダイレクト通信で原稿Ｇが相手先にファックスされる。この場合、読み取り部２０は、キャリッジ１８とともに走査方向に移動しながら停止状態で原稿載置部１６上にセットされた原稿Ｇを読み取る。
【００５１】
このように、本実施形態のファクシミリ装置１１では、ＡＤＦ３０を使用してＦＡＸダイレクト通信で複数枚の原稿Ｇを相手先にファックスする場合に、ＡＤＦモーター３６が発熱してＡＤＦモーター３６の温度Ｔが上昇しても、通信エラーが発生することなくファックスの動作が継続される。このため、ユーザーのファックス作業が中断されることが回避される。
【００５２】
以上、詳述した実施形態によれば以下の効果を得ることができる。
（１）ＡＤＦモーター３６の温度Ｔが第１閾値Ｋ１以上となった場合に、原稿Ｇの読み取り動作及びその読み取った原稿Ｇのデータの送信動作を一時的に停止させた後、原稿Ｇの読み取り動作及びその読み取った原稿Ｇのデータの送信動作を再開させている。すなわち、ＡＤＦモーター３６の温度Ｔが第１閾値Ｋ１以上となった場合に、原稿Ｇのファックスを一時的に停止させた後、当該原稿Ｇのファックスを再開させている。このため、原稿Ｇを搬送するＡＤＦ３０を駆動するＡＤＦモーター３６の発熱によって通信エラーが発生することを回避することができる。
【００５３】
（２）ＡＤＦモーター３６の温度Ｔが第１閾値Ｋ１よりも小さい第２閾値Ｋ２未満である場合には、次のようになる。すなわち、原稿Ｇの読み取り動作及びその読み取った原稿Ｇのデータの送信動作が終了してから当該原稿Ｇの次の原稿Ｇの読み取り動作及び当該次の原稿Ｇのデータの送信動作が開始されるまでの時間が、ＡＤＦモーター３６の温度Ｔが第１閾値Ｋ１以上となった場合に比べて短くなる。つまり、ＡＤＦモーター３６の温度Ｔが第１閾値Ｋ１よりも小さい第２閾値Ｋ２未満である場合における原稿Ｇのファックスが終了してから当該原稿Ｇの次の原稿Ｇのファックスが開始されるまでの時間が、ＡＤＦモーター３６の温度Ｔが第１閾値Ｋ１以上となった場合に比べて短くなる。このため、原稿Ｇをファックスする際の処理速度を向上することができる。
【００５４】
（３）ＡＤＦモーター３６の温度Ｔが第１閾値Ｋ１未満であって且つ第２閾値Ｋ２以上である場合には、次のようになる。すなわち、原稿Ｇの読み取り動作及びその読み取った原稿Ｇのデータの送信動作が終了してから当該原稿Ｇの次の原稿Ｇの読み取り動作及び当該次の原稿Ｇのデータの送信動作が開始されるまでの時間が、ＡＤＦモーター３６の温度Ｔが第２閾値Ｋ２未満である場合に比べて長くなる。つまり、ＡＤＦモーター３６の温度Ｔが第１閾値Ｋ１未満であって且つ第２閾値Ｋ２以上である場合における原稿Ｇのファックスが終了してから当該原稿Ｇの次の原稿Ｇのファックスが開始されるまでの時間が、ＡＤＦモーター３６の温度Ｔが第２閾値Ｋ２未満である場合に比べて長くなる。このため、ＡＤＦモーター３６の温度上昇が抑制されるので、ＡＤＦ３０の使用可能な時間を延長することができる。したがって、できるだけＡＤＦ３０を使用しつつ、原稿Ｇをファックスする際の処理速度を確保することができる。
【００５５】
（４）原稿Ｇを読み取りつつ当該読み取られた原稿Ｇのデータを送信する前にＡＤＦモーター３６の温度Ｔが第１閾値Ｋ１以上である場合には、キャリッジ１８を走査方向に移動させながら原稿載置部１６上に停止状態で載置された原稿Ｇを読み取り部２０に読み取らせる旨のメッセージが表示部１５に表示される。すなわち、原稿Ｇをファックスする前にＡＤＦモーター３６の温度Ｔが第１閾値Ｋ１以上である場合には、ＡＤＦ３０を使用せずに手動で原稿Ｇを原稿載置部１６上に載置して原稿Ｇのファックスを行う旨のメッセージが表示部１５に表示される。このため、ＡＤＦ３０を使用しなくても、原稿Ｇをファックスすることができるので、ユーザーのファックス作業が中断されることを回避することができる。
【００５６】
（変更例）
なお、上記実施形態は以下のように変更してもよい。
・原稿Ｇをファックスする前にＡＤＦモーター３６の温度Ｔが第１閾値Ｋ１以上である場合には、必ずしもＡＤＦ３０を使用せずに手動で原稿Ｇを原稿載置部１６上に載置して原稿Ｇのファックスを行う旨のメッセージを表示部１５に表示させる必要はない。
【００５７】
・ＡＤＦモーター３６の温度Ｔが第１閾値Ｋ１未満であって且つ第２閾値Ｋ２以上である場合における原稿Ｇのファックスが終了してから当該原稿Ｇの次の原稿Ｇのファックスが開始されるまでの時間を、必ずしもＡＤＦモーター３６の温度Ｔが第２閾値Ｋ２未満である場合に比べて長くする必要はない。
【００５８】
・ＡＤＦモーター３６の温度Ｔが第１閾値Ｋ１よりも小さい第２閾値Ｋ２未満である場合における原稿Ｇのファックスが終了してから当該原稿Ｇの次の原稿Ｇのファックスが開始されるまでの時間は、必ずしもＡＤＦモーター３６の温度Ｔが第１閾値Ｋ１以上となった場合に比べて短くする必要はない。
【００５９】
・ＡＤＦ３０を使用せずに手動で原稿Ｇを原稿載置部１６上に載置して原稿Ｇのファックスを行う旨のメッセージは、音声でユーザーに報知するようにしてもよい。
・ＡＤＦモーター３６の温度Ｔを測定するための温度センサーを温度取得部として設けるようにしてもよい。
【００６０】
・ファクシミリ装置１１は、紙などの媒体に記録（印刷）を行う記録装置を備えた複合機に搭載してもよい。
さらに、上記実施形態より把握できる技術的思想について以下に記載する。
【００６１】
（イ）媒体に記録を行う記録装置と、請求項１〜請求項４のうちいずれか一項に記載のファクシミリ装置とを備えたことを特徴とする複合機。
【符号の説明】
【００６２】
１１…ファクシミリ装置、１６…原稿載置部、１８…キャリッジ、１９…キャリッジ駆動部の一例としてのキャリッジモーター、２０…読み取り部、３０…原稿搬送部の一例としてのＡＤＦ、３２…搬送経路、３６…駆動部の一例としてのＡＤＦモーター、３７…読み取り位置、４１…制御部、４４…報知部、４５…温度取得部の一例としての演算部、４８…通信部、Ｇ…原稿、Ｋ１…第１閾値、Ｋ２…第２閾値、Ｔ…温度。
【図１】
2016134789.tif 000003
【図２】
2016134789.tif 000004
【図３】
2016134789.tif 000005
【図４】
2016134789.tif 000006
【図５】
2016134789.tif 000007
【図６】
2016134789.tif 000008
【図７】
2016134789.tif 000009